(57)【要約】      （修正有）【課題】偏光板を含むシート状製品の最終検査に適合したシステム及び検査方法、及び、そのようなシート状製品の検査で使用するための偏光板を提供する。【解決手段】両表面の片方に離型フィルム１４０が貼付され、もう片方に保護フィルム１５０が貼付された偏光板１００を備えるシート状製品の検査システムであって、偏光板１００の吸収軸と直交する吸収軸を有する検査用偏光板と、シート状製品及び検査用偏光板を含んで成る偏光部の一方から偏光部に光を照射する光源と、偏光部の他方から偏光部を撮像して偏光部の映像を取得する撮像機器とを備え、離型フィルム１４０の延伸方向と偏光板１００の吸収軸との間の角度が１３°以下である。【選択図】図１
2016081062.tif 000002
【特許請求の範囲】
【請求項１】
両表面の片方に離型フィルムが貼付され、もう片方に保護フィルムが貼付された偏光板を備えるシート状製品の検査システムであって、
前記偏光板の吸収軸と直交する吸収軸を有する検査用偏光板と、
前記シート状製品及び前記検査用偏光板を含んで成る偏光部の一方から前記偏光部に光を照射する光源と、
前記偏光部の他方から前記偏光部を撮像して前記偏光部の映像を取得する撮像機器と、を備え、
前記離型フィルムの延伸方向と前記偏光板の吸収軸との間の角度が１３°以下である、シート状製品の検査システム。
【請求項２】
前記角度が７°以下であることを特徴とする、請求項１に記載のシート状製品の検査システム。
【請求項３】
取得された前記映像を分析して前記離型フィルムが前記光源及び前記撮像機器のうち、いずれと向い合うか判定する検査部をさらに備えることを特徴とする、請求項１に記載のシート状製品の検査システム。
【請求項４】
前記シート状製品の一方表面が撮像された他の映像において前記シート状製品に表示されたマークを識別することにより、前記一方表面が前記シート状製品の両表面のうち、いずれの表面であるかを判定する検査部をさらに備えることを特徴とする、請求項１に記載のシート状製品の検査システム。
【請求項５】
前記シート状製品及び前記検査用偏光板が、前記他の映像が捉えられた方向から見て重ならない状態で配置されていることを特徴とする、請求項４に記載のシート状製品の検査システム。
【請求項６】
前記検査部は、前記他の映像において前記マークの位置及び形状のうち少なくとも一つを識別することを特徴とする、請求項４に記載のシート状製品の検査システム。
【請求項７】
両表面の片方に離型フィルムが貼付され、もう片方に保護フィルムが貼付された偏光板を備えるシート状製品を光源と撮像機器との間に配置する工程と、
前記光源と前記撮像機器との間に配置されて前記偏光板の吸収軸と直交する吸収軸を有する検査用偏光板及び前記シート状製品を含んで成る偏光部を前記光源で照らす工程と、
前記撮像機器を用いて前記偏光部の映像を取得する工程と、を有し、
前記離型フィルムの延伸方向と前記偏光板の吸収軸との間の角度が１３°以下である、シート状製品の検査方法。
【請求項８】
前記角度が７°以下であることを特徴とする、請求項７に記載のシート状製品の検査方法。
【請求項９】
取得された前記映像を分析して前記離型フィルムが前記光源及び前記撮像機器のうち、いずれと向い合うか判定する工程をさらに有することを特徴とする、請求項７に記載のシート状製品の検査方法。
【請求項１０】
前記シート状製品の一方表面が撮像された他の映像において前記シート状製品に表示されたマークを識別して前記一方表面が前記シート状製品の両表面のうち、いずれの表面であるかを判定する判定工程をさらに有することを特徴とする、請求項７に記載のシート状製品の検査方法。
【請求項１１】
前記シート状製品及び前記検査用偏光板を前記他の映像が捉えられた方向から見て重ならない状態で配置する工程をさらに有することを特徴とする、請求項１０に記載のシート状製品の検査方法。
【請求項１２】
前記判定工程は、前記他の映像において前記マークの位置及び形状のうち少なくとも一つを識別する工程を有することを特徴とする、請求項１０に記載のシート状製品の検査方法。
【請求項１３】
偏光板において、
偏光子と、
前記偏光子の少なくとも一つの表面に貼付された偏光子保護層と、を備え、
前記偏光板の一方表面には離型フィルムが貼付されており、前記偏光板の他方表面には保護フィルムが貼付されており、前記離型フィルムの延伸方向と前記偏光板の吸収軸との間の角度が１３°以下である、偏光板。
【請求項１４】
前記角度が７°以下であることを特徴とする、請求項１３に記載の偏光板。
【請求項１５】
前記偏光子、前記偏光子保護層、前記離型フィルム及び前記保護フィルムのうち少なくとも一つにマークが表示されていることを特徴とする、請求項１３に記載の偏光板。
【請求項１６】
前記一方表面における前記マークの相対的位置は、前記他方表面における前記マークの相対的位置と異なることを特徴とする、請求項１５に記載の偏光板。
【請求項１７】
前記一方表面における前記マークの形状は、前記他方表面における前記マークの形状と異なることを特徴とする、請求項１５に記載の偏光板。
【請求項１８】
前記マークは、前記偏光板の製造工程の中で検出された欠陥候補の位置を表示することを特徴とする、請求項１５に記載の偏光板。
【発明の詳細な説明】
【技術分野】
【０００１】
本発明は、シート状製品の検査のためのシステム及び方法、そして、そのような検査で使用するための偏光板に関する。
【背景技術】
【０００２】
偏光板は、液晶表示装置（ＬＣＤ）、エレクトロルミネッセンス（ＥＬ）表示装置、プラズマ表示装置（ＰＤＰ）、電界放出表示装置（ＦＥＤ）などのような各種光学表示装置に広く使用されている。例えば、液晶表示装置の液晶パネルを形成する過程において、液晶セルの各表面に偏光板が粘着されることがある。偏光板と液晶セルとを接合するためにアクリル系組成物及び／または他の適切な組成物を含む粘着剤が使用されるが、このような接合のために、一般に偏光板の一方の表面には粘着剤の層が形成されている。粘着層は、液晶セルに実際に接合される前まで、露出されることで汚染されないように離型フィルム（Ｓｅｐａｒａｔｏｒ  Ｆｉｌｍ）で覆われている。また、偏光板の反対側の表面には傷や汚染を防止するための保護フィルム（Ｐｒｏｔｅｃｔｉｏｎ  Ｆｉｌｍ）が粘着剤により貼付される。
【０００３】
各種検査を終えて出荷された偏光板の離型フィルムは、液晶表示装置の製造工程で偏光板と液晶セルの接合のために最終的に偏光板から剥離される。しかし、偏光板の両表面のうち、離型フィルムが貼付された表面と保護フィルムが貼付された表面とを製造工程途中に区別することはあまり効率的とはいえない。一方、誤って離型フィルムではなく保護フィルムが偏光板から剥離されると、製造工程に莫大な支障を来たすことがある。したがって、偏光板を実際に使用する工程で、離型フィルムと保護フィルムとを区分する負担をできるだけ少なくしつつ、離型フィルムが剥離されることをさらに確実に保障するために、偏光板の出荷の前に新しい方式の検査を行う必要がある。
【０００４】
韓国公開特許第２０１４−００１２７６４号は、光学フィルムを有するシート状製品の欠点を検査する装置及びこれを用いた製造システムを開示しているが、要求される上記事項を解決する策は示していない。
【先行技術文献】
【特許文献】
【０００５】
【特許文献１】韓国公開特許第２０１４−００１２７６４号
【発明の概要】
【発明が解決しようとする課題】
【０００６】
本発明は、偏光板を含むシート状製品の最終検査に適合したシステム及び検査方法を提供することを目的とする。
【０００７】
本発明は、そのようなシート状製品の検査で使用するための偏光板を提供することを目的とする。
【課題を解決するための手段】
【０００８】
本発明に係るシート状製品の検査システムは、
両表面の片方に離型フィルムが貼付され、もう片方に保護フィルムが貼付された偏光板を備えるシート状製品の検査システムであって、
前記偏光板の吸収軸と直交する吸収軸を有する検査用偏光板と、
前記シート状製品及び前記検査用偏光板を含んで成る偏光部の一方から前記偏光部に光を照射する光源と、
前記偏光部の他方から前記偏光部を撮像して前記偏光部の映像を取得する撮像機器と、を備え、
前記離型フィルムの延伸方向と前記偏光板の吸収軸との間の角度が１３°以下である。
【０００９】
一つの態様として、前記角度が７°以下であると好適である。
【００１０】
一つの態様として、取得された前記映像を分析して前記離型フィルムが前記光源及び前記撮像機器のうち、いずれと向い合うか判定する検査部をさらに備えると好適である。
【００１１】
一つの態様として、前記シート状製品の一方表面が撮像された他の映像において前記シート状製品に表示されたマークを識別することにより、前記一方表面が前記シート状製品の両表面のうち、いずれの表面であるかを判定する検査部をさらに備えると好適である。
【００１２】
この場合、前記シート状製品及び前記検査用偏光板が、前記他の映像が捉えられた方向から見て重ならない状態で配置されていると好適である。
【００１３】
また、この場合、前記検査部は、前記他の映像において前記マークの位置及び形状のうち少なくとも一つを識別すると好適である。
【００１４】
本発明に係るシート状製品の検査方法は、
両表面の片方に離型フィルムが貼付され、もう片方に保護フィルムが貼付された偏光板を備えるシート状製品を光源と撮像機器との間に配置する工程と、
前記光源と前記撮像機器との間に配置されて前記偏光板の吸収軸と直交する吸収軸を有する検査用偏光板及び前記シート状製品を含んで成る偏光部を前記光源で照らす工程と、
前記撮像機器を用いて前記偏光部の映像を取得する工程と、を有し、
前記離型フィルムの延伸方向と前記偏光板の吸収軸との間の角度が１３°以下である。
【００１５】
一つの態様として、前記角度が７°以下であると好適である。
【００１６】
一つの態様として、取得された前記映像を分析して前記離型フィルムが前記光源及び前記撮像機器のうち、いずれと向い合うか判定する工程をさらに有すると好適である。
【００１７】
一つの態様として、前記シート状製品の一方表面が撮像された他の映像において前記シート状製品に表示されたマークを識別して前記一方表面が前記シート状製品の両表面のうち、いずれの表面であるかを判定する判定工程をさらに有すると好適である。
【００１８】
この場合、前記シート状製品及び前記検査用偏光板を前記他の映像が捉えられた方向から見て重ならない状態で配置する工程をさらに有すると好適である。
【００１９】
また、この場合、前記判定工程は、前記他の映像において前記マークの位置及び形状のうち少なくとも一つを識別する工程を有すると好適である。
【００２０】
本発明に係る偏光板は、
偏光板において、
偏光子と、
前記偏光子の少なくとも一つの表面に貼付された偏光子保護層と、を備え、
前記偏光板の一方表面には離型フィルムが貼付されており、前記偏光板の他方表面には保護フィルムが貼付されており、前記離型フィルムの延伸方向と前記偏光板の吸収軸との間の角度が１３°以下である。
【００２１】
一つの態様として、前記角度が７°以下であると好適である。
【００２２】
一つの態様として、前記偏光子、前記偏光子保護層、前記離型フィルム及び前記保護フィルムのうち少なくとも一つにマークが表示されていると好適である。
【００２３】
一つの態様として、前記一方表面における前記マークの相対的位置は、前記他方表面における前記マークの相対的位置と異なると好適である。
【００２４】
一つの態様として、前記一方表面における前記マークの形状は、前記他方表面における前記マークの形状と異なると好適である。
【００２５】
一つの態様として、前記マークは、前記偏光板の製造工程の中で検出された欠陥候補の位置を表示すると好適である。
【発明の効果】
【００２６】
本発明による偏光板とこれを用いたシート上の検査システム及び方法は、複数枚のシート状製品が出荷される前に行われる各シート状製品の最終検査に適合し、出荷後に実際の偏光板を使用する過程において、離型フィルムの代わりに保護フィルムを誤って剥離することを防止することに有用である。
【図面の簡単な説明】
【００２７】
【図１】本発明の一実施例による偏光板を示す図である。
【図２】本発明の一実施例によるシート状製品の検査システムを示す図である。
【図３】本発明の一実施例によるシート状製品の検査システムを用いて、種々の特性を有する離型フィルムが貼付された偏光板の反転の有無を検査した結果を説明するための図である。
【図４】本発明の一実施例によるシート状製品の検査システムを用いて、種々の特性を有する離型フィルムが貼付された偏光板の反転の有無を検査した結果を説明するための図である。
【図５】本発明の一実施例によりマークが表示されたシート状製品の上面図である。
【発明を実施するための形態】
【００２８】
本発明は、シート状製品の「反転」を検査することに関連する。本明細書において、シート状製品が「反転」されたという表現は、シート状製品を特定方向から（例えば、シート状製品の上部から）眺めるとき、シート状製品の両表面のうち見ようとしている表面が見えないことを意味する。具体的に、本発明は、両表面の片方に離型フィルムが貼付され、もう片方に保護フィルムが貼付された偏光板を含むシート状製品の検査に関するものであって、偏光板それぞれの特定表面から反対側表面への方向（例えば、離型フィルムが貼付された表面から保護フィルムが貼付された表面への方向）を一律にして偏光板を出荷すれば、偏光板の実際の使用において離型フィルムの剥離を保障することに相当し有用であるという点に着眼したものである。言い換えれば、反転されなかったシート状製品と反転されたシート状製品を本発明により分類すれば、複数枚のシート状製品を出荷する前に、シート状製品を反転されていない正常な状態で（例えば、離型フィルムの貼付された側面が上に来るように）積む作業が容易である。
【００２９】
以下、図を参照して本発明の具体的な実施例を説明する。しかし、これは例示に過ぎず、本発明はこれに制限されない。
【００３０】
本発明の実施例の説明において、本発明と関連する公知の技術に対する具体的な説明が本発明の要旨を不必要に曖昧にし得ると判断される場合にはその詳細な説明を省略する。そして、後述される用語は、本発明においての機能を考慮して定義された用語であり、これはユーザー、運用者の意図または慣例などにより変わることがある。したがって、その定義は、本明細書の全般にわたった内容を基にしなければならない。
【００３１】
本発明の一実施例によるシート状製品の検査システムは、両表面の片方に離型フィルムが貼付され、もう片方に保護フィルムが貼付された偏光板を備えるシート状製品の検査システムとして、前記偏光板の吸収軸と直交する吸収軸を有する検査用偏光板と、前記シート状製品及び前記検査用偏光板を含んで成る偏光部の一方から前記偏光部に光を照射する光源と、及び前記偏光部の他方から前記偏光部を撮像する撮像機器と、を備え、前記離型フィルムの延伸方向と前記偏光板の吸収軸との間の角度が１３°以下であるため、複数枚のシート状製品が出荷される前に行われる各シート状製品の最終検査に特に適合し、出荷後、実際に偏光板を使用する過程で離型フィルムの代わりに保護フィルムを誤って剥離することを防止することに有用である。
【００３２】
本発明の実施例による反転検査の対象であるシート状製品は、両表面の片方に離型フィルムが貼付され、もう片方に保護フィルムが貼付された偏光板を含むものであれば、その種類は特に制限されない。本発明の一実施例によると、シート状製品の偏光板はこのような反転検査を容易にするために、図１に図示されるように構成することができる。
【００３３】
図１の偏光板（１００）は、偏光子（１１０）を含む。偏光子（１１０）は、無偏光である又は任意の偏光を持つ自然光を直線偏光に変える光学素子であり、例えば、ポリビニルアルコール系（ｐｏｌｙ  ｖｉｎｙｌ  ａｌｃｏｈｏｌ：ＰＶＡ）フィルムのような透明基材フィルムにヨード系化合物のような異色性色素（ｄｉｃｈｒｏｉｃ  ｄｙｅ）が吸着配向されたものが挙げられる。
【００３４】
偏光子（１１０）を構成する透明基材フィルムは、ヨードのような異色性偏光物質により染色され得るフィルムであれば、その種類は特に制限されない。このような基材フィルムの具体的な例として、ポリビニルアルコール系フィルム、エチレン−酢酸ビニル共重合体フィルム、エチレン−ビニルアルコール共重合体フィルム、セルロースフィルム、これらが部分的に鹸化されたフィルムなどのような親水性高分子フィルム、または脱水処理されたポリビニルアルコール系フィルム、脱塩酸処理されたポリビニルアルコール系フィルムなどのようなポリエン配向フィルムなどが挙げられる。例えば、ポリビニルアルコール系フィルムは、面内で偏光度の均一性を強化する効果に優れているだけでなく異色性物質に対する染色親和性にも優れている。また、ポリビニルアルコール系フィルムは、ポリ酢酸ビニル系樹脂の鹸化により製造することができるが、ポリ酢酸ビニル系樹脂の例としては、酢酸ビニルの単独重合体であるポリ酢酸ビニル以外に、酢酸ビニル及びこれと共重合可能な他の単量体の共重合体などを挙げることができる。酢酸ビニルと共重合可能な他の単量体としては、不飽和カルボキシ酸系、不飽和スルホン酸系、オレフイン系、ビニルエーテル系、アンモニウム基を有するアクリルアミド系単量体などが挙げられる。さらに、ポリビニルアルコール系樹脂は、変性されたものであってもよく、例えば、アルデヒド類に変性されたポリビニルホルマールやビニルアセタールなども使用することができる。
【００３５】
偏光子（１１０）の少なくとも一つの表面には、偏光子保護層を貼付することができる。例えば、図１に図示されるように、偏光板（１００）は、偏光子（１１０）の両表面に形成された偏光子保護層（１２０、１３０）を備えるものとしてもよい。偏光子保護層（１２０、１３０）には、トリアセチルセルロース（ｔｒｉａｃｅｔｙｌ  ｃｅｌｌｕｌｏｓｅ：ＴＡＣ）フィルムのような適当な透明フィルムを使用することができる。偏光子保護層（１２０、１３０）は、偏光子（１１０）の表面に塗布された接着剤により偏光子（１１０）上に積層することができる。但し、偏光子（１１０）への偏光子保護層（１２０、１３０）の貼付のための方法は特に限定されない。
【００３６】
偏光子（１１０）の少なくとも一面に接合される偏光子保護層に使用されるフィルムは、透明性、機械的強度、熱安定性、水分遮蔽性、等方性などに優れるものであれば、その種類は特に制限されない。このようなフィルムの具体的な例として、ポリメチル（メタ）アクリレート、ポリエチル（メタ）アクリレートなどのアクリル系樹脂フィルム；ポリエチレンテレフタレート、ポリエチレンイソフタレート、ポリエチレンナフタレート、ポリブチレンテレフタレートなどのポリエステル系樹脂フィルムや、ジアセチルセルロース、トリアセチルセルロースなどのセルロース系樹脂フィルム、その他にも、ポリエチレン、ポリプロピレン、シクロ系またはノルボルネン構造を有するポリオレフイン系、エチレン−プロピレン共重合体などのポリオレフイン系樹脂フィルムなどが挙げられるが、これに限定されるものではない。
【００３７】
さらに、偏光板（１００）の一方の表面には離型フィルム（Ｓｅｐａｒａｔｏｒ  Ｆｉｌｍ）（１４０）を形成することができ、偏光板（１００）の反対側の表面には保護フィルム（Ｐｒｏｔｅｃｔｉｏｎ  Ｆｉｌｍ）（１５０）を形成することができる。図１に図示されるように、離型フィルム（１４０）は、偏光子保護層（１２０）の上部表面に粘着剤により貼付することができ、保護フィルム（１５０）は、偏光子保護層（１３０）の下部表面に粘着剤により貼付することができる。離型フィルム（１４０）と保護フィルム（１５０）とを偏光板（１００）の両表面に貼付させるのに使用される粘着剤は異なることがある。
【００３８】
本発明の一実施例において、離型フィルム（１４０）は、離型フィルム（１４０）を通過する偏光の軸が所定の角度以下で反れるようにする光学機能を具備することができる。例えば、離型フィルム（１４０）の延伸方向と偏光板（１００）の吸収軸との間の角度は、１３°以下とすることができ、好ましくは７°以下とすることができる。一方、保護フィルム（１５０）は、通常、保護フィルム（１５０）に入射した光が複屈折されるような無視できない程度の相当な位相差特性を有することができる。
【００３９】
上のような偏光板（１００）を含むシート状製品は、１枚ずつ移送手段（例えば、コンベヤーベルト）上で移送することができる。特に、偏光板（１００）の両表面にそれぞれ離型フィルム（１４０）及び保護フィルム（１５０）が貼付されてから、この偏光板（１００）を含むシート状製品が最終的に出荷される前に、図２のシステム（２００）が、シート状製品の反転の有無を検査するため、移送手段を用いてシート状製品を予め設定された検査位置に配置可能となっている。
【００４０】
図２は、本発明の一実施例によるシート状製品の検査システムを示す図である。図２に図示されたように、例示的なシート状製品の検査システム（２００）は、検査用偏光板（２２０）、検査対象体のシート状製品（２１０）及び検査用偏光板（２２０）を含む偏光部（２３０）の一方（図２においては、偏光部（２３０）の下側）から偏光部（２３０）に光（２４５）を照射する光源（２４０）、偏光部（２３０）の他方（図２においては、偏光部（２３０）の上側）から偏光部（２３０）を撮像する撮像機器（２５０）及び撮像機器（２５０）により捉えられた映像を用いてシート状製品（２１０）の反転の有無を検査する検査部（２６０）を備える。また、シート状製品の検査システム（２００）は、シート状製品（２１０）を図２に図示されるように配置するための移送手段（図示せず）をさらに備えていてもよい。
【００４１】
シート状製品（２１０）は、図１で例示したように両表面にそれぞれ離型フィルム（１４０）及び保護フィルム（１５０）が形成された偏光板（１００）を含む。検査用偏光板（２２０）は、欠陥のない正常な偏光板として、光源（２４０）と撮像機器（２５０）との間に配置されている。検査用偏光板（２２０）は、偏光子の他に偏光子の少なくとも一面に貼付された偏光子保護フィルムを備えていてもよいが、離型フィルムや保護フィルムと接合されていないことが好ましい。
【００４２】
シート状製品の検査システム（２００）は、移送手段を用いてこのようなシート状製品（２１０）を光源（２４０）と撮像機器（２５０）との間に位置させることができる。特に、シート状製品の検査システム（２００）は、シート状製品（２１０）の偏光板（１００）の偏光軸（例えば、偏光吸収軸）が検査用偏光板（２２０）の偏光軸（例えば、偏光吸収軸）と直交する状態（即ち、クロスニコル状態）となるようにシート状製品（２１０）を配置することができる。
【００４３】
一方、図２は、光源（２４０）から放射される光（２４５）がシート状製品（２１０）に到逹した後、検査用偏光板（２２０）に至るように示しているが、シート状製品（２１０）と検査用偏光板（２２０）の配置がこれに限定されるものではない。他の例として、光源（２４０）から放射される光（２４５）が検査用偏光板（２２０）に先に到逹するようにシート状製品（２１０）と検査用偏光板（２２０）とを配置してもよい。
【００４４】
光源（２４０）は、偏光部（２３０）に光（２４５）を照射するように構成される。したがって、撮像機器（２５０）の撮像のために、シート状製品の検査システム（２００）は、光源（２４０）を用いて偏光部（２３０）を照明することができる。例えば、シート状製品の検査システム（２００）は、制御部（図示せず）をさらに備えることができ、その制御部は、光源（２４０）に、偏光部（２３０）へ光を提供させるようにする。いくつかの実施例において、このような制御部は、光源（２４０）の光量の調節、光源（２４０）の光照射角度の調節などのように、光源（２４０）を制御するためのユーザー入力の受信に適合したユーザーインターフェースを提供してもよい。光源（２４０）は、シート状製品（２１０）の反転検査に適合するように光（２４５）を照射可能に配置されればよく、その配置が特に限定されるものではない。図２においては、単に一例として、光源（２４０）が光（２４５）を偏光部（２３０）に垂直に照射するものが図示されている。
【００４５】
関連分野において偏光フィルムの検査に使用される光源は、特別な制限を受けることなく、本実施形態の光源（２４０）として使用できる。例えば、ＬＥＤランプ（Ｌｉｇｈｔ  Ｅｍｉｔｔｉｎｇ  Ｄｉｏｄｅ  Ｌａｍｐ）、メタルハライドランプ（Ｍｅｔａｌ  Ｈａｌｉｄｅ  Ｌａｍｐ）のようなハロゲンランプ、蛍光灯、白熱電球などを光源（２４０）として使用できる。また、光源（２４０）から照射される光（２４５）の種類は、特に限定されず、例として、白色光、緑光、青色光、赤色光、赤外線、これらの適切な組合せなどが挙げられる。さらに、光源（２４０）は、長辺または短辺がシート状製品の幅以上の長さを有するか、一辺がシート状製品の幅以上の長さを有する四角形状としてもよい。一方、シート状製品（２１０）の移送速度にしたがって光（２４５）の照射される時間及び区間を調節してもよい。
【００４６】
撮像機器（２５０）は、偏光部（２３０）の映像を捉えるように構成される。したがって、シート状製品の検査システム（２００）は、撮像機器（２５０）を用いて偏光部（２３０）の映像を取得することができる。例えば、シート状製品の検査システム（２００）の制御部は、撮像機器（２５０）に、偏光部（２３０）を撮像して偏光部（２３０）の映像を取得させることができる。いくつかの実施例において、前記制御部は、撮像機器（２５０）の撮像時間及び／または撮像角度の調節などのように、撮像機器（２５０）を制御するためのユーザー入力の受信に適合したユーザーインターフェースを提供してもよい。例えば、図２に図示されたように、撮像機器（２５０）は、シート状製品（２１０）の表面及び検査用偏光板（２２０）の表面に対して垂直に偏光部（２３０）を撮像することができる。
【００４７】
撮像機器（２５０）は、偏光部（２３０）を経て入射される光があれば、これを受容して偏光部（２３０）の映像を捉えられるものであればよく、その種類は特に限定されない。例えば、撮像機器（２５０）は、カメラ（例えば、ＣＣＤ（Ｃｈａｒｇｅ−Ｃｏｕｐｌｅｄ  Ｄｅｖｉｃｅ）カメラ）、光センサーなどを含むことができる。
【００４８】
シート状製品の検査システム（２００）の検査部（２６０）は、撮像機器（２５０）が偏光部（２３０）の撮像により取得した映像を分析してシート状製品（２１０）の反転の有無を検査する。検査部（２６０）は、多様なハードウェアモジュール及びソフトウェアモジュールを含むコンピュータ装置によって具現することができる。
【００４９】
通常、クロスニコル状態で配置された２枚の偏光板の一方から入射される光は、その偏光板を透過することができない。したがって、この偏光板を撮影した映像は黒く表示される。これに関し、シート状製品（２１０）に含まれた偏光板（１００）は、一方の表面に離型フィルム（１４０）が貼付されていて他方の表面に保護フィルム（１５０）が貼付されているという点に留意しなければならない。前述したように、離型フィルム（１４０）の延伸方向が偏光板（１００）の吸収軸と成す角度は、所定の角度以下（例えば、１３°以下、また好ましくは７°以下）であるが、保護フィルム（１５０）は無視できない程度の位相差特性を有する。したがって、離型フィルム（１４０）及び保護フィルム（１５０）がそれぞれ光源（２４０）及び撮像機器（２５０）のうち、いずれと向い合うかによって、撮像機器（２５０）により捉えられた映像が暗状態を示すこともあり、そうではないこともある。言い換えれば、その映像の全体的な明るさが予め設定された臨界値を超過するかによって、検査部（２６０）は、離型フィルム（１４０）から保護フィルム（１５０）への方向が求める方向（例えば、図２で下側方向）であるか否かを判定することができる。
【００５０】
具体的に、シート状製品（２１０）が透明であっても、離型フィルム（１４０）及び保護フィルム（１５０）がそれぞれ撮像機器（２５０）及び光源（２４０）と向かい合う場合（即ち、図２で離型フィルム（１４０）が偏光板（１００）の上側表面に貼付されていて保護フィルム（１５０）が偏光板（１００）の下側表面に貼付されている場合）、離型フィルム（１４０）の特性にしたがって撮像機器（２５０）は、全体的に黒い映像を捉える。これにより、検査部（２６０）は、離型フィルム（１４０）が撮像機器（２５０）と向い合うと判定することができる。一方、離型フィルム（１４０）及び保護フィルム（１５０）がそれぞれ光源（２４０）及び撮像機器（２５０）と向かい合う場合（即ち、図２で離型フィルム（１４０）が偏光板（１００）の下側表面に貼付されていて保護フィルム（１５０）が偏光板（１００）の上側表面に貼付されている場合）、シート状製品（２１０）を透過した光（２４５）は、シート状製品（２１０）と検査用偏光板（２２０）との間で保護フィルム（１５０）によって位相差が変わる。結局、光（２４５）の一部成分は、検査用偏光板（２２０）を透過するため、撮像機器（２５０）によって捉えられた映像には、縞模様形態の染みのような明るい部分が現れることがある。これにより、検査部（２６０）は、離型フィルム（１４０）が光源（２４０）と向かい合うと判定することができる。
【００５１】
図３及び図４は、本発明の一実施例によるシート状製品の検査システムを用いて、種々の特性を有する離型フィルムが貼付された偏光板の反転の有無を検査した結果を説明するための図である。
【００５２】
シート状製品として両表面にそれぞれ離型フィルム及び保護フィルムが貼付された偏光板を使用した。実験のために、偏光板の吸収軸とそれぞれ７°以下の差、７°〜１３°の差及び１３°より大きい差のある延伸方向を有する離型フィルムを用いた。図２に図示されるように、偏光板を、光源と撮像機器（ラインスキャンカメラ）との間に配置し、偏光板と撮像機器との間には正常な検査用偏光板を配置した。また、偏光板と検査用偏光板は、互いに３５ｍｍ離隔されてクロスニコル状態で配置した。
【００５３】
照明表面から１０ｍｍ離れた地点で測定した照度が１００万ｌｕｘ以上のＬＥＤを光源として使用し、偏光板と５ｍｍ離隔された距離で偏光板に光を垂直に照射した。偏光板の光照射領域で幅方向への照度差は特に測定されなかった。光源と撮像機器との間の距離は６９０ｍｍであった。
【００５４】
図３は、上のような実験条件下で偏光板に貼付された離型フィルムが撮像機器を向き、偏光板に貼付された保護フィルムが光源を向くように偏光板を位置させた場合に、捉えられた映像を図示する。
【００５５】
図４は、上のような実験条件下で偏光板に貼付された離型フィルムが光源を向き、偏光板に貼付された保護フィルムが撮像機器を向くように偏光板を位置させた場合に、捉えられた映像を図示する。
【００５６】
図３及び図４を参照すれば、偏光板の吸収軸と離型フィルムの延伸方向との間の角度が１３°以下のとき、図３の映像と図４の映像との間の全体的な明るさの差は明らかであり、特に偏光板の吸収軸と離型フィルムの延伸方向との間の角度が７°以下のとき、図３の映像と図４の映像との間の全体的な明るさの差がさらに目立つという点を確認することができる。
【００５７】
また図２に示すように、シート状製品の検査システム（２００）は、上のようなクロスニコル配置に基づいた検査に加えて、シート状製品（２１０）に表示されたマークを用いる反転検査を行うことができる。但し、先に反転されたと判定されたシート状製品（２１０）に対しては、マークに基づいた反転検査を行わないこともある。
【００５８】
シート状製品（２１０）が多くの製造工程を経ている間に、シート状製品（２１０）には多様な形態のマークを（例えば、消えるインクでまたは消されないように）表示することができる。このようなマークがシート状製品（２１０）の両表面のうち、いずれの表面でも検出可能な場合、そのマークは、シート状製品（２１０）の反転の有無の検査に利用することができる。
【００５９】
図５は、本発明の一実施例にしたがってマークが表示されたシート状製品の上面図である。図５における紙面に対して上側方向を基準に、シート状製品（２１０）の偏光板（１００）の上側表面に離型フィルム（１４０）が貼付されていて偏光板（１００）の下側表面に保護フィルム（１５０）が貼付されていると仮定する。図５に図示されたように、シート状製品（２１０）の予め設定された領域（例えば、中心部、幅方向の中心線及び長さ方向の中心線を除いた周辺領域）には、特定の番号などのマーク（５１０）及び／または製造工程の中で検出された欠陥候補（５２０）の位置を表示するための予め設定された形状のマーク（５３０）が刻まれることがある。例えば、偏光板（１００）の製造工程の中で偏光子（１１０）、偏光子保護層（１２０、１３０）、離型フィルム（１４０）及び保護フィルム（１５０）のうち少なくとも一つには図５に図示されたマーク（５１０、５３０）などのマークを表示することができる。図５からわかるように、マーク（５１０）がシート状製品（２１０）の一方表面において有する相対的位置は、マーク（５１０）がシート状製品（２１０）の他方表面において有する相対的位置と異なることがある。また、マーク（５１０）が非対称であれば、マーク（５１０）がシート状製品（２１０）の一方表面において有する形状は、マーク（５１０）がシート状製品（２１０）の他方表面において有する形状と異なるものとなる。同じく、マーク（５３０）がシート状製品（２１０）の一方表面において有する形状は、マーク（５３０）がシート状製品（２１０）の他方表面において有する形状と異なるものとなる。
【００６０】
これにしたがって、検査部（２６０）は、上のようなマーク（例えば、マーク（５１０）及び／またはマーク（５３０））が表示されたシート状製品（２１０）の映像を分析してシート状製品（２１０）の反転の有無を検査することができる。具体的には、検査部（２６０）は、シート状製品（２１０）の映像においてマークの位置及び／または形状を識別した後、その映像を捉えるための撮像方向から離型フィルム（１４０）が貼付された表面の側が見えるか、それとも保護フィルム（１５０）が貼付された表面の側が見えるか判定することができる。例えば、シート状製品（２１０）の映像において検出されたマークの位置が予め設定された位置と異なる場合またはそのマークの形状が予め設定された形状とマッチングされない場合、検査部（２６０）は、シート状製品（２１０）が反転された（例えば、図５で離型フィルム（１４０）が保護フィルム（１５０）より下側に位置する）と判定することができる。
【００６１】
このために、シート状製品の検査システム（２００）は、図２に図示された光源（２７０）及び撮像機器（２８０）をさらに備えることができる。但し、光源（２７０）の種類、撮像機器（２８０）の種類、光源（２７０）の配置、撮像機器（２８０）の配置、光源（２７０）の光照射角度及び撮像機器（２８０）の撮像角度は、シート状製品（２１０）に対する適切な光照射及び適切な撮像ができれば特に制限されるものではない。
【００６２】
例えば、図５に図示されたようにマーク（５１０、５３０）が表示されたシート状製品（２１０）の映像を取得するため、シート状製品の検査システム（２００）は、クロスニコル配置を用いた反転検査を終えた移送手段を用いてシート状製品（２１０）を図２に図示されたように右側に移動させることができる。その後、シート状製品の検査システム（２００）は、撮像機器（２８０）を用いてシート状製品（２１０）の一方の表面の映像を捉えることができる。シート状製品（２１０）は、すでに、上の映像が捉えられた方向から見て検査用偏光板（２２０）と重なることなく検査用偏光板（２２０）とは別に見えるように配置されているため、撮像機器（２８０）によって取得された映像には暗状態が発生するおそれはない。このような撮像のために、光源（２７０）は、撮像機器（２８０）に向けて光（２７５）を提供してシート状製品（２１０）を照らすことができる。継いで、検査部（２６０）は、シート状製品（２１０）の映像からマーク（５１０、５３０）を識別して、シート状製品（２１０）の両表面のうち、いずれの表面がその映像内に撮像されたのか判定することができる。さらに、検査部（２６０）は、欠陥候補（５２０）がシート状製品（２１０）の不良に該当する欠陥か否かを判定することもできる。
【００６３】
一方、以上において図５を参照して検査部（２６０）がクロスニコル配置に基づいた反転検査及びマークに基づいた反転検査をすべて行う構成を説明したが、二つの方式の反転検査を別途のコンポーネントでそれぞれ行うことができる。また、図５に図示された反転検査方式の順序は単に例示するのみであり、マークに基づいた反転検査が行われた後、クロスニコル配置を用いる反転検査が行われてもよい。
【００６４】
上のように反転検査が実施された後、シート状製品（２１０）は、反転有無判定にしたがって別々に分類されて最終出荷のために用意される。
【００６５】
また、本発明の他の実施例によれば、両表面の片方に離型フィルムが貼付され、もう片方に保護フィルムが貼付された偏光板を備えるシート状製品を光源と撮像機器との間に位置させる工程と、前記光源と前記撮像機器との間に配置されて前記偏光板の吸収軸と直交する吸収軸を有する検査用偏光板及び前記シート状製品を含んで成る偏光部を前記光源で照らす工程と、前記撮像機器を用いて前記偏光部の映像を取得する工程と、を有し、前記離型フィルムの延伸方向と前記偏光板の吸収軸との間の角度が１３°以下である、シート状製品の検査方法が提供される。
【００６６】
以上、本発明の代表的な実施例を詳細に説明したが、本発明が属する技術分野で通常の知識を有した者は、上述した実施例に対して本発明の範疇から外れない限度内で多様な変形が可能であることが理解できる。したがって、本発明の権利範囲は、説明された実施例に限って定められてはならず、後述する特許請求範囲だけでなくこの特許請求範囲と均等なものなどにより定められなければならない。
【符号の説明】
【００６７】
１００：偏光板
１１０：偏光子
１２０、１３０：偏光子保護層
１４０：離型フィルム
１５０：保護フィルム
２００：シート状製品の検査システム
２１０：シート状製品
２２０：検査用偏光板
２３０：偏光部
２４０、２７０：光源
２４５、２７５：光
２５０、２８０：撮像機器
２６０：検査部
５１０、５３０：マーク
５２０：欠陥候補
【図１】
2016081062.tif 000003
【図２】
2016081062.tif 000004
【図５】
2016081062.tif 000005
【図３】
2016081062.tif 000006
【図４】
2016081062.tif 000007